(57)【要約】【課題】生産性を上げることができる錠剤印刷装置及び錠剤印刷方法を提供する。【解決手段】実施形態に係る錠剤印刷装置１は、錠剤Ｔを搬送する搬送部２０と、搬送部２０により搬送される錠剤Ｔに印刷を行うインクジェットヘッド５１と、同一形状でサイズが異なる複数の印刷パターンを切り替えてインクジェットヘッド５１に印刷させる制御部９０とを備える。これにより、前述の同一形状でサイズが異なる各印刷パターンが切り替えられて印刷が実行されるので、不良錠剤の発生を抑え、生産性を上げることができる。【選択図】図１
2020124406.tif 000002
【特許請求の範囲】
【請求項１】
錠剤を搬送する搬送部と、
前記搬送部により搬送される前記錠剤に印刷を行うインクジェットヘッドと、
同一形状でサイズが異なる複数の印刷パターンを切り替えて前記インクジェットヘッドに印刷させる制御部と、
を備える錠剤印刷装置。
【請求項２】
複数の錠剤を列状に搬送する搬送部と、
前記搬送部による前記錠剤の搬送方向に交差する方向に延在するノズル列を有するインクジェットヘッドと、
前記錠剤に印刷を行うように前記インクジェットヘッドを制御する制御部と、
を有し、
前記制御部は、ある錠剤に印刷されるパターンの大きさを、他の錠剤に印刷されるパターンの大きさよりも意図的に大きくすることで、前記錠剤の印刷に用いるノズルを、前記ノズル列の中で変える錠剤印刷装置。
【請求項３】
前記制御部は、前記搬送部により搬送される前記錠剤ごとに前記複数の印刷パターンを切り替える請求項１に記載の錠剤印刷装置。
【請求項４】
前記制御部は、規則的な間隔又は不規則な間隔で前記複数の印刷パターンを切り替える請求項１に記載の錠剤印刷装置。
【請求項５】
前記規則的な間隔又は前記不規則な間隔は、前記インクジェットヘッドによる印刷に用いられるインクの液質に応じ、前記インクジェットヘッドの端面から露出するインクの乾燥を抑える間隔に設定されている請求項４に記載の錠剤印刷装置。
【請求項６】
前記制御部は、前記インクジェットヘッドに印刷させた前記印刷パターンに基づいて、前記インクジェットヘッドにより前記錠剤に印刷された印刷パターンを検査する請求項１から請求項５のいずれか一項に記載の錠剤印刷装置。
【請求項７】
前記制御部は、前記インクジェットヘッドにより前記錠剤に印刷された印刷パターンをそのサイズを無視して検査する請求項１から請求項５のいずれか一項に記載の錠剤印刷装置。
【請求項８】
錠剤を搬送部により搬送し、
前記搬送部により搬送される前記錠剤に印刷を行うインクジェットヘッドに、同一形状でサイズが異なる複数の印刷パターンを切り替えて印刷させる錠剤印刷方法。
【請求項９】
複数の錠剤を搬送部により列状に搬送し、
前記搬送部による搬送される前記錠剤の搬送方向に交差する方向に延在するノズル列を有するインクジェットヘッドに対し、ある錠剤に印刷されるパターンの大きさを、他の錠剤に印刷されるパターンの大きさよりも意図的に大きくすることで、前記錠剤の印刷に用いるノズルを、前記ノズル列の中で変える錠剤印刷方法。
【請求項１０】
前記搬送部により搬送される前記錠剤ごとに前記複数の印刷パターンを切り替える請求項８に記載の錠剤印刷方法。
【請求項１１】
規則的な間隔又は不規則な間隔で前記複数の印刷パターンを切り替える請求項８に記載の錠剤印刷方法。
【請求項１２】
前記規則的な間隔又は前記不規則な間隔は、前記インクジェットヘッドによる印刷に用いられるインクの液質に応じ、前記インクジェットヘッドの端面から露出するインクの乾燥を抑える間隔に設定されている請求項１１に記載の錠剤印刷方法。
【請求項１３】
前記インクジェットヘッドに印刷させた前記印刷パターンに基づいて、前記インクジェットヘッドにより前記錠剤に印刷された印刷パターンを検査する請求項８から請求項１２のいずれか一項に記載の錠剤印刷方法。
【請求項１４】
前記インクジェットヘッドにより前記錠剤に印刷された印刷パターンをそのサイズを無視して検査する請求項８から請求項１２のいずれか一項に記載の錠剤印刷方法。
【発明の詳細な説明】
【技術分野】
【０００１】
本発明の実施形態は、錠剤印刷装置及び錠剤印刷方法に関する。
【背景技術】
【０００２】
錠剤に文字やマークなどの識別情報（情報の一例）を印刷するため、インクジェットヘッドを用いて印刷を行う技術が知られている。この技術を用いる錠剤印刷装置は、コンベアなどの搬送装置により錠剤を搬送し、搬送装置の上方に配置されたインクジェットヘッドの各ノズルから、インクジェットヘッド下方を通過する錠剤に向けてインクを吐出し、錠剤に識別情報を印刷する。
【０００３】
通常、錠剤は搬送方向に列状に並び、ノズル列が水平面内において搬送方向と直交するインクジェットヘッドの下方に搬送されるため、インクジェットヘッドは、印刷対象の錠剤に合わせて、ある範囲内のノズル群を用いて印刷を行う。インクジェットヘッドのノズル列は錠剤の直径よりも長く、錠剤が搬送されてきた位置によりインクジェットヘッドが有する複数のノズルの中から印刷に使用するノズルを決定することになる。錠剤は、インクジェットヘッドに対して常に同じ位置関係で搬送されてくるわけではないが、概ね同じ位置（あるいはその付近の位置）で搬送されてくる。
【０００４】
このため、インクジェットヘッドのノズル列において、使用頻度が高いノズルと低いノズルが生じる。この状況下において、錠剤が錠剤の列からずれた状態（水平面内において搬送方向と直交する方向にずれた状態）で搬送されると、使用頻度が低いノズルが使用される。使用頻度が低いノズルでは、ノズル先端部分のインク乾燥が進行している。このため、使用頻度が低いノズルが使用されると、ノズルから吐出されたインクが曲がったり、インク量が不十分となって印字がかすれたりし、印刷不良の錠剤（以下、「不良錠剤」という。）が発生するため、生産性が低下する。
【先行技術文献】
【特許文献】
【０００５】
【特許文献１】特開平７−０８１０５０号公報
【発明の概要】
【発明が解決しようとする課題】
【０００６】
本発明が解決しようとする課題は、生産性を上げることができる錠剤印刷装置及び錠剤印刷方法を提供することである。
【課題を解決するための手段】
【０００７】
本発明の実施形態に係る錠剤印刷装置は、
錠剤を搬送する搬送部と、
前記搬送部により搬送される前記錠剤に印刷を行うインクジェットヘッドと、
同一形状でサイズが異なる複数の印刷パターンを切り替えて前記インクジェットヘッドに印刷させる制御部と、
を備える。
【０００８】
本発明の実施形態に係る錠剤印刷装置は、
複数の錠剤を列状に搬送する搬送部と、
前記搬送部による前記錠剤の搬送方向に交差する方向に延在するノズル列を有するインクジェットヘッドと、
前記錠剤に印刷を行うように前記インクジェットヘッドを制御する制御部と、
を有し、
前記制御部は、ある錠剤に印刷されるパターンの大きさを、他の錠剤に印刷されるパターンの大きさよりも意図的に大きくすることで、前記錠剤の印刷に用いるノズルを、前記ノズル列の中で変える。
【０００９】
本発明の実施形態に係る錠剤印刷方法は、
錠剤を搬送部により搬送し、
前記搬送部により搬送される前記錠剤に印刷を行うインクジェットヘッドに、同一形状でサイズが異なる複数の印刷パターンを切り替えて印刷させる。
【００１０】
本発明の実施形態に係る錠剤印刷方法は、
複数の錠剤を搬送部により列状に搬送し、
前記搬送部による搬送される前記錠剤の搬送方向に交差する方向に延在するノズル列を有するインクジェットヘッドに対し、ある錠剤に印刷されるパターンの大きさを、他の錠剤に印刷されるパターンの大きさよりも意図的に大きくすることで、前記錠剤の印刷に用いるノズルを、前記ノズル列の中で変える。
【発明の効果】
【００１１】
本発明の実施形態によれば、生産性を上げることができる。
【図面の簡単な説明】
【００１２】
【図１】実施の一形態に係る錠剤印刷装置の概略構成を示す図である。
【図２】実施の一形態に係る錠剤印刷装置の一部を示す平面図である。
【図３】実施の一形態に係る錠剤印刷を説明するための図である。
【図４】実施の一形態に係る錠剤印刷の変形例を説明するための図である。
【発明を実施するための形態】
【００１３】
実施の一形態について図面を参照して説明する。
【００１４】
（基本構成）
図１に示すように、実施の一形態に係る錠剤印刷装置１は、供給部１０と、搬送部２０と、検出部３０と、撮像部４０と、印刷部５０と、撮像部６０と、回収部７０と、画像処理部８０と、制御部９０とを備えている。検出部３０は撮像タイミング検出用であり、撮像部４０は錠剤位置検出用であり、撮像部６０は印刷状態検査用である。
【００１５】
供給部１０は、ホッパ１１及びシュータ１２を有している。この供給部１０は、印刷対象となる錠剤Ｔを搬送部２０に供給することが可能に構成されており、搬送部２０の一端側に位置付けられている。ホッパ１１は、多数の錠剤Ｔを収容し、収容した錠剤Ｔをシュータ１２に順次供給する。シュータ１２は、ホッパ１１から供給された錠剤Ｔを一列に整列させて搬送部２０に供給する。供給部１０は制御部９０に電気的に接続されており、その駆動が制御部９０により制御される。
【００１６】
搬送部２０は、搬送ベルト２１、駆動プーリ２２、複数（図１の例では、三つ）の従動プーリ２３、モータ（駆動部）２４、位置検出器２５及び吸引チャンバ（吸引部）２６を有している。搬送ベルト２１は、無端状のベルトであり、駆動プーリ２２及び各従動プーリ２３に架け渡されている。駆動プーリ２２及び各従動プーリ２３は装置本体に回転可能に設けられており、駆動プーリ２２はモータ２４に連結されている。モータ２４は制御部９０に電気的に接続されており、その駆動が制御部９０により制御される。位置検出器２５は、エンコーダなどの機器であり、モータ２４に取り付けられている。この位置検出器２５は電気的に制御部９０に接続されており、検出信号を制御部９０に送信する。制御部９０は、検出信号に基づいて搬送ベルト２１の位置や速度、移動量などの情報を得ることができる。搬送部２０は、モータ２４による駆動プーリ２２の回転によって各従動プーリ２３と共に搬送ベルト２１を回転させ、搬送ベルト２１上の錠剤Ｔを図１中の矢印Ａ１の方向（搬送方向Ａ１）に搬送する。
【００１７】
搬送ベルト２１には、図２に示すように、円形状の吸引孔２１ａが複数形成されている。これらの吸引孔２１ａは、それぞれ錠剤Ｔを吸着する貫通孔であり、一本の搬送経路を形成するように搬送方向Ａ１に沿って一列に並べられている。各吸引孔２１ａは、吸引チャンバ２６（図１参照）に形成された吸引路（図示せず）を介して吸引チャンバ２６内に接続されており、吸引チャンバ２６により吸引力を得ることが可能になっている。吸引チャンバ２６には、ポンプなどの吸気部が吸引管（いずれも図示せず）を介して接続されており、吸気部の作動により吸引チャンバ２６の内部は減圧される。吸引管は、吸引チャンバ２６の側面（搬送方向Ａ１と平行な面）の略中央に接続されている。また、吸気部は制御部９０に電気的に接続されており、その駆動が制御部９０により制御される。吸引チャンバ２６の内部が減圧されると、搬送ベルト２１の各吸引孔２１ａ上に置かれた錠剤Ｔは吸引チャンバ２６により吸引され、搬送ベルト２１上に保持される。
【００１８】
検出部３０は、供給部１０が設けられた位置よりも搬送方向Ａ１の下流側に位置付けられ、搬送ベルト２１の上方に設けられている。この検出部３０は、レーザ光の投受光によって搬送ベルト２１上の錠剤ＴのＸ方向（搬送方向Ａ１）の位置を検出し、下流に位置する各装置のトリガーセンサとして機能する。検出部３０としては、例えば、反射型レーザセンサなど各種のレーザセンサを用いることが可能である。検出部３０は制御部９０に電気的に接続されており、制御部９０に検出信号を送信する。
【００１９】
撮像部４０は、検出部３０が設けられた位置よりも搬送方向Ａ１の下流側に位置付けられ、搬送ベルト２１の上方に設けられている。この撮像部４０は、前述の錠剤ＴのＸ方向の位置情報に基づき、錠剤Ｔが撮像部４０の直下に到達したタイミングで撮像を行い、錠剤Ｔの上面を含む画像（錠剤位置検出用の画像）を取得し、取得した画像を制御部９０に送信する。撮像部４０としては、ＣＣＤ（電荷結合素子）やＣＭＯＳ（相補型金属酸化膜半導体）などの撮像素子を有する各種のカメラを用いることが可能である。撮像部４０は画像処理部８０を介して制御部９０に電気的に接続されており、その駆動が制御部９０により制御される。なお、必要に応じて撮像用の照明も設けられている。
【００２０】
ここで、前述の検出部３０は、搬送ベルト２１上の錠剤ＴのＸ方向（搬送方向Ａ１）の位置を検出する検出部として機能し、撮像部４０は、錠剤位置検出用の画像を撮像することで、搬送ベルト２１上の錠剤ＴのＸ方向の位置に加え、Ｙ方向（水平面内において搬送方向Ａ１と直交する方向）及びθ方向の位置を検出する（図２参照）。このため、撮像部４０は、水平面内において、搬送ベルト２１上の錠剤Ｔの搬送方向Ａ１と直交（交差の一例）する方向の位置を検出する検出部として機能する。
【００２１】
前述のＸ方向及びＹ方向の位置とは、例えば、撮像部４０の撮像視野の中心（基準位置）に対するＸＹ座標系の位置である。また、θ方向の位置とは、例えば、撮像部４０の撮像視野のＹ方向の中心線に対する錠剤Ｔの回転度合いを示す位置である。このθ方向の位置は、錠剤Ｔに割線が設けられている場合や錠剤Ｔが楕円形や長円形、四角形などに成型されている場合など、錠剤Ｔが方向性を有する形態である場合に検出される。
【００２２】
印刷部５０は、インクジェットヘッド５１を有している。インクジェットヘッド５１は、撮像部４０が設けられた位置よりも搬送方向Ａ１の下流側に位置付けられ、搬送ベルト２１の上方に設けられている。インクジェットヘッド５１は、複数のノズル５１ａ（図２参照）を有し、それらのノズル５１ａから個別にインクを吐出する。このインクジェットヘッド５１は、ノズル５１ａが一列に並ぶ方向（ノズル列）が水平面内で搬送方向Ａ１と直交（交差の一例）するように設けられている。インクジェットヘッド５１としては、圧電素子、発熱素子又は磁歪素子などの駆動素子を有する各種のインクジェット方式の印刷ヘッドを用いることが可能である。インクジェットヘッド５１は制御部９０に電気的に接続されており、その駆動が制御部９０により制御される。
【００２３】
撮像部６０は、印刷部５０が設けられた位置よりも搬送方向Ａ１の下流側に位置付けられ、搬送ベルト２１の上方に設けられている。この撮像部６０は、前述の錠剤ＴのＸ方向の位置情報に基づき、錠剤Ｔが撮像部６０の直下に到達したタイミングで撮像を行い、錠剤Ｔの上面を含む画像（印刷状態検査用の画像）を取得し、取得した画像を制御部９０に送信する。撮像部６０としては、例えば、前述の撮像部４０と同様、ＣＣＤやＣＭＯＳなどの撮像素子を有する各種のカメラを用いることが可能である。撮像部６０は画像処理部８０を介して制御部９０に電気的に接続されており、その駆動が制御部９０により制御される。なお、必要に応じて撮像用の照明も設けられている。
【００２４】
回収部７０は、撮像部６０が設けられた位置よりも搬送方向Ａ１の下流側に位置付けられ、搬送部２０における搬送方向Ａ１の下流側の端部に設けられている。この回収部７０は、搬送部２０による保持が解除されて落下する錠剤Ｔを良品と不良品とに分けて回収するように構成されている。なお、搬送部２０は、搬送ベルト２１上の個々の錠剤Ｔが所定の位置、例えば、搬送部２０における搬送方向Ａ１の下流側の端部に到達した場合に錠剤Ｔの保持を解除する。
【００２５】
画像処理部８０は、撮像部４０により撮像された錠剤位置検出用の画像及び撮像部６０によって撮像された印刷状態検査用の画像を取り込み、公知の画像処理技術を用いて画像を処理する。例えば、画像処理部８０は、撮像部４０から得られた錠剤位置検出用の画像を処理し、錠剤ＴのＸ方向、Ｙ方向及びθ方向の位置を取得する（図２参照）。また、画像処理部８０は、撮像部６０から得られた印刷状態検査用の画像を処理し、錠剤Ｔに印刷された印刷パターン（例えば、文字やマーク）の印刷位置や形状、サイズを取得する。
【００２６】
なお、画像処理部８０は、前述のように取得した各錠剤ＴのＸ方向、Ｙ方向及びθ方向の位置情報、さらに、各錠剤Ｔ上の印刷パターンの印刷位置情報、形状情報及びサイズ情報を制御部９０に送信する。この画像処理部８０が各情報を送信する際には、それらの情報に各撮像部４０、６０の識別情報を付加して送信する。これにより、制御部９０は、送信された情報が、各撮像部４０、６０のうちいずれの装置に対応する情報であるかを把握することができる。
【００２７】
制御部９０は、各部を集中的に制御するマイクロコンピュータと、処理情報や各種プログラムなどを記憶する記憶部（いずれも図示せず）を備えている。この制御部９０は、各種情報や各種プログラムに基づいて供給部１０、搬送部２０、撮像部４０、印刷部５０、撮像部６０及び画像処理部８０を制御する。また、制御部９０は、検出部３０や位置検出器２５から送信される検出信号などを受信する。
【００２８】
この制御部９０は、画像処理部８０から送信された錠剤ＴのＸ方向、Ｙ方向及びθ方向の位置情報に基づいて、その位置情報に対応する錠剤Ｔに対して印刷条件を設定する。なお、記憶部には、文字やマークなどの印刷パターン及びその印刷パターンの錠剤Ｔ上での印刷位置などを含む印刷データ、搬送ベルト２１の移動速度データなどが記憶されている。
【００２９】
例えば、制御部９０は、錠剤ＴのＹ方向の位置情報や印刷パターンに基づいて、インクジェットヘッド５１において対象の錠剤Ｔの印刷に使用するノズル５１ａの範囲（使用ノズル範囲）を決定し、また、錠剤ＴのＸ方向の位置情報に基づいて、錠剤Ｔに対して印刷を開始するタイミングを決定し、印刷条件を設定する（詳しくは後述する）。また、前述のように錠剤Ｔが方向性を有する形態である場合、制御部９０は、錠剤Ｔのθ方向の位置情報に基づいて、錠剤Ｔのθ方向の位置に対応させて印刷条件を設定する。一例として、制御部は、印刷パターンの向きを０度から１７９度の範囲で１度ずつ回転させた１８０通りの印刷データを制御部９０の記憶部に登録しておき、それらの印刷データの中から、検出されたθ方向の位置に適合する角度の印刷データを選択して印刷条件を設定する。
【００３０】
また、制御部９０は、画像処理部８０から送信された錠剤Ｔの印刷パターンの印刷位置情報、形状情報及びサイズ情報に基づいて、印刷パターンが所定形状及び所定サイズで錠剤Ｔの所定位置に印刷されたか否か、すなわち印刷パターンが錠剤Ｔに正常に印刷されたか否かを判断する（印刷状態検査）。例えば、制御部９０は、印刷パターンの形状及びサイズ判断において、印刷に使用した印刷パターンを検査用の印刷パターンとして制御部９０の記憶部に登録しておき、その検査用の印刷パターンと実際の印刷後の錠剤Ｔ上の印刷パターン（錠剤Ｔに印刷された印刷パターン）とを比較する。
【００３１】
（使用ノズル範囲の決定方法）
次に、前述の使用ノズル範囲の決定方法（決定手順）について説明する。なお、制御部９０は、錠剤ＴのＹ方向の位置情報や印刷パターンに基づいて、インクジェットヘッド５１の使用ノズル範囲を決定するが、同一形状でフォントサイズ（大きさ）が異なる複数の印刷パターンに基づいてインクジェットヘッド５１の使用ノズル範囲を決定する場合について図３及び図４を参照して説明する。複数の印刷パターンは制御部９０の記憶部に予め記憶されている。
【００３２】
図３及び図４では、説明のために錠剤Ｔを区別するため、「Ｔ１〜Ｔ８」という符号が上から下に順番に付されている（なお、錠剤Ｔを区別する必要がない場合には、「錠剤Ｔ」という）。また、図３及び図４では、一例として、形状が「ＡＢＣ」であってサイズが異なる第１の印刷パターンＰ１及び第２の印刷パターンＰ２が、それぞれ、印刷前の錠剤Ｔに対応して示されている。第２の印刷パターンＰ２のサイズは第１の印刷パターンＰ１のサイズ（基準サイズ）よりも大きい。この第２印刷パターンＰ２のサイズは、例えば、錠剤Ｔの被印刷面のサイズに合わせてできるだけ大きく設定されている
【００３３】
図３に示すように、第１の印刷パターンＰ１及び第２の印刷パターンＰ２は、錠剤Ｔごとに切り替えられており、交互に錠剤Ｔに印刷されることになる。通常、錠剤Ｔの搬送は安定しているため、錠剤ＴのＹ方向の位置ズレがない状態で、第１の印刷パターンＰ１及び第２の印刷パターンＰ２を交互に用いた印刷が実行されることになる。なお、図３中の錠剤Ｔ５と錠剤Ｔ８は、意図的にＹ方向の位置ズレがあるものとして示されている。
【００３４】
このような第１の印刷パターンＰ１及び第２の印刷パターンＰ２に基づいて使用ノズル範囲が決定される。錠剤Ｔに印刷する印刷パターンが第１の印刷パターンＰ１であれば、その第１の印刷パターンＰ１に基づいて使用ノズル範囲は第１の範囲Ｈ１に決定される。錠剤Ｔに印刷する印刷パターンが第２の印刷パターンＰ２であれば、その第２の印刷パターンＰ２に基づいて使用ノズル範囲は第２の範囲Ｈ２に決定される。第２の印刷パターンＰ２のサイズは第１の印刷パターンＰ１のサイズよりも大きいため、第２の範囲Ｈ２は第１の範囲Ｈ１よりも広くなる。
【００３５】
このように、第１の印刷パターンＰ１及び第２の印刷パターンＰ２が用いられることで、第１の印刷パターンＰ１だけが用いられる場合に比べて、使用ノズル範囲は広くなる。さらに、第１の印刷パターンＰ１及び第２の印刷パターンＰ２が交互に使用されるため、第１の範囲Ｈ１から第２の範囲Ｈ２に広がった分の範囲、すなわち第２の範囲Ｈ２から第１の範囲Ｈ１を引いた第３の範囲Ｈ３（＝Ｈ２−Ｈ１）においてノズル５１ａの使用頻度が上がり、第２の範囲Ｈ２の全体が安定吐出範囲となる。この安定吐出範囲とは、インクを安定して吐出することが可能なノズル範囲である。第１の印刷パターンＰ１だけが用いられる場合には、第１の範囲Ｈ１だけが安定吐出範囲となるが、第１の印刷パターンＰ１及び第２の印刷パターンＰ２が交互に用いられることで、第１の範囲Ｈ１より広い第２の範囲Ｈ２が安定吐出範囲となる。
【００３６】
したがって、錠剤ＴのＹ方向の位置ずれが生じた場合でも（図３中の錠剤Ｔ５参照）、第１の印刷パターンＰ１に基づいて決定される使用ノズル範囲は、第２の範囲Ｈ２内、すなわち安定吐出範囲内となる。このため、安定吐出範囲内のノズル５１ａ、つまり、使用頻度が高いノズル５１ａが印刷に使用され、使用頻度が低いノズル５１ａが印刷に使用されることを抑えることができる。これにより、ノズル５１ａから吐出されたインクが曲がったり、インク量が不十分となって印字がかすれたりせず、安定した印刷を実現することが可能になるので、不良錠剤の発生を抑えることができる。
【００３７】
ここで、錠剤ＴのＹ方向の位置ズレがある場合、第２の印刷パターンＰ２に基づいて決定された使用ノズル範囲の一部が、第２の範囲Ｈ２から外れることがある（図３中の錠剤Ｔ８参照）。このとき、そのまま第２の印刷パターンＰ２が用いられても良いが、その場合には不良錠剤が発生する恐れがある。この不良錠剤の発生を確実に抑えるためには、第２の印刷パターンＰ２ではなく、図４に示すように（図４中の錠剤Ｔ８参照）、第１の印刷パターンＰ１を用いて使用ノズル範囲を第２の範囲Ｈ２内とすることが望ましい。つまり、錠剤ＴのＹ方向の位置ズレがない場合に、第１の印刷パターンＰ１及び第２の印刷パターンＰ２を交互に用いるようにしても良い。
【００３８】
なお、錠剤ＴのＹ方向の位置情報において、錠剤Ｔは一列に整列して搬送されてくるため、錠剤ＴのＹ方向の位置には基準位置があり、その基準位置からのズレ量を検出し、ズレの程度を判断することが可能である。このため、制御部９０は、錠剤ＴのＹ方向の位置ズレが予め定めた許容範囲内であると判断した場合、第１の印刷パターンＰ１及び第２の印刷パターンＰ２を交互に用い、錠剤ＴのＹ方向の位置ズレが予め定めた許容範囲内でないと判断した場合、第１の印刷パターンＰ１を用いることができる。
【００３９】
また、前述の各印刷パターンを切り替えるタイミングとしては、錠剤Ｔごとに各印刷パターンを切り替えること以外にも、規則的な間隔（例えば、所定時間ごとに）又は不規則な間隔（ランダムな間隔）で各印刷パターンを切り替えることも可能である。規則的な間隔や不規則な間隔（時間間隔）は、インクの種類（例えば、液質の違い）などに応じ、インクジェットヘッド５１のノズル先端部分のインク、すなわちインクジェットヘッド５１の端面から露出するインクの乾燥を抑えるために必要な間隔（インクの乾燥を抑える間隔）に設定されている。所定時間ごとに印刷パターンを切り替える方法においては、印刷後の検査に用いる検査パターンも所定時間ごとに切り替えれば良いため、検査に要する時間が短縮可能である。
【００４０】
また、第１の印刷パターンＰ１と第２の印刷パターンＰ２の２種類の印刷パターンを切り替える例を説明したが、これに限らず、２種類以上の複数種類の印刷パターンを切り替えることにより、安定吐出範囲を確保するようにしても良い。
【００４１】
また、錠剤Ｔの位置ずれが起こる頻度を予め検出し、この結果に基づいて印刷パターン切替の頻度を決めるようにしても良い。例えば、錠剤Ｔの形状によっては、頻繁に錠剤Ｔの位置ずれが起きる場合がある。このような錠剤Ｔの場合には、位置ずれが生じる頻度が高いためにそもそも使用されるノズル５１ａの範囲が広くなるので、印刷パターンの切替はそれほど頻繁に行われる必要がない。反対に、位置ずれが生じる頻度が低い場合には、印刷パターンの切替を頻繁に行うようにする。このように錠剤Ｔの位置ずれが生じる頻度を考慮することで、印刷パターンの切替を最低限の回数にすることができ、印刷制御および印刷後の検査が容易になることから処理スピードを上げることができ、生産性をさらに向上させることができる。また、第２の印刷パターンＰ２は第１の印刷パターンＰ１よりもサイズが大きいため、インク使用量が多くなるが、印刷パターンの切替を最低限の回数にすることで、インク使用量を減らすことができる。
【００４２】
また、片面に割線を有する錠剤Ｔに対して印刷を行う場合に、割線が形成されている面と割線が形成されていない面とで印刷パターンのサイズを変えることによって、複数の印刷パターンを切り替えるようにしても良い。これは割線が形成されている面と割線が形成されていない面とがランダムにインクジェットヘッド５１と対向する面に向いて搬送されてくることが前提である。この場合に、例えば割線が形成されている面には第１の印刷パターンＰ１、割線が形成されていない面には第２の印刷パターンＰ２を印刷するように設定することにより、複数のサイズの異なる印刷パターンの切替を行い、使用ノズル範囲を変更することができる。
【００４３】
（印刷工程）
次に、前述の錠剤印刷装置１が行う印刷工程（検査工程も含む）について説明する。なお、印刷に要する印刷データなどの各種情報は、制御部９０の記憶部に予め記憶されている。
【００４４】
まず、搬送ベルト２１が駆動され、その搬送ベルト２１は、モータ２４による駆動プーリ２２及び従動プーリ２３の回転に伴い、搬送方向Ａ１に回転する。そして、搬送ベルト２１が回転している状態で、ホッパ１１から錠剤Ｔがシュータ１２に順次供給され、シュータ１２により一列に並べられて搬送ベルト２１上に一定間隔ではなくランダムに供給される。錠剤Ｔは搬送ベルト２１上に一列に並んで所定の移動速度で搬送されていく。
【００４５】
搬送ベルト２１上の錠剤Ｔは検出部３０によって検出される。これにより、錠剤ＴのＸ方向の位置情報が取得され、制御部９０に入力される。この錠剤ＴのＸ方向の位置情報は、制御部９０の記憶部に保存されて後処理で用いられる。次に、搬送ベルト２１上の錠剤Ｔが前述の錠剤ＴのＸ方向の位置情報に基づくタイミングで撮像部４０によって撮像され、撮像された画像が画像処理部８０に送信される。撮像部４０から送信された画像に基づき、錠剤Ｔの位置情報（例えば、Ｘ方向、Ｙ方向及びθ方向の位置情報）が画像処理部８０により生成され、制御部９０の記憶部に保存される。この錠剤Ｔの位置情報などの情報に基づき、前述の使用ノズル範囲の決定手順（決定処理）が制御部９０により実行され、使用ノズル範囲を含む印刷条件が制御部９０の記憶部に設定される。
【００４６】
使用ノズル範囲の決定処理においては、制御部９０が、錠剤ＴのＹ方向の位置情報や印刷パターンに基づき、使用ノズル範囲を決定し、決定した使用ノズル範囲や印刷パターンなどに基づき印刷条件を設定する。この決定処理では、制御部９０が、例えば、第１の印刷パターンＰ１及び第２の印刷パターンＰ２（図３参照）を錠剤Ｔごとに切り替えて、すなわち交互に用いる。このため、使用ノズル範囲は、第１の範囲Ｈ１及び第２の範囲Ｈ２に交互に設定され、第１の印刷パターンＰ１だけを使用する場合に比べて広くなる。また、第２の印刷パターンＰ２が繰り返し使用されるため、第３の範囲Ｈ３においてノズル５１ａの使用頻度が高くなり、第２の範囲Ｈ２の全体が安定吐出範囲となる。
【００４７】
撮像部４０の下方を通過した搬送ベルト２１上の錠剤Ｔは、前述の錠剤ＴのＸ方向の位置情報に基づくタイミング、すなわち錠剤Ｔがインクジェットヘッド５１の直下に到達したタイミングで、前述の印刷条件に基づいてインクジェットヘッド５１により印刷される。インクジェットヘッド５１において、各ノズル５１ａからインクが適宜吐出され、その錠剤Ｔの上面である被印刷面に文字（例えばアルファベット、片仮名、番号）やマーク（例えば記号、図形）などの識別情報を示す印刷パターンが印刷される。この錠剤Ｔに塗布されたインクは急速に乾燥する。なお、気体あるいは熱による乾燥を行う乾燥部（図示せず）によりインクを乾燥させるようにしても良い。
【００４８】
その後、識別情報を示す印刷パターンが印刷された錠剤Ｔは、前述の錠剤ＴのＸ方向の位置情報に基づくタイミングで撮像部６０によって撮像され、撮像された画像が制御部９０に送信される。撮像部６０から送信された個々の画像に基づき、錠剤Ｔごとの印刷パターンの印刷位置情報、形状情報及びサイズ情報が画像処理部８０により生成され、制御部９０の記憶部に保存される。その印刷位置情報、形状情報及びサイズ情報に基づき、錠剤Ｔに対する印刷良否が制御部９０により判断され（印刷状態検査）、錠剤Ｔごとの印刷良否の結果を示す印刷良否結果情報が制御部９０の記憶部に保存される。
【００４９】
例えば、印刷状態検査では、錠剤Ｔに印刷された印刷パターンが所定形状及び所定サイズで錠剤Ｔの所定位置に印刷されたか否か、すなわち印刷パターンが錠剤Ｔに正常に印刷されたか否かが判断され、印刷の良否が決定される。この印刷状態検査では、印刷に使用した印刷パターンが用いられ、その印刷パターンの所定印刷位置や所定形状、所定サイズと、制御部９０の記憶部に保存された印刷パターンの印刷位置情報、形状情報及びサイズ情報が比較され、印刷パターンが錠剤Ｔに正常に印刷されたか否かが判断される。
【００５０】
検査後の錠剤Ｔは、搬送ベルト２１の移動に伴って搬送ベルト２１の下流側の端部に位置すると、搬送ベルト２１に保持された状態から解放され、搬送ベルト２１から落下して回収部７０により回収される。このとき、検査が合格であった錠剤Ｔは、そのまま落下して回収部７０により回収されるが、検査が不合格であった錠剤Ｔは、搬送ベルト２１から落下する途中でエアの吹き付けにより排除される。なお、エアの吹き付けにより排除された錠剤Ｔは、例えば、回収部７０の隣に設けられた他の回収容器（図示せず）によって回収される。
【００５１】
この印刷工程によれば、複数の印刷パターンが切り替えられ、その切り替えられた印刷パターンが用いられて使用ノズル範囲が決定される。例えば、図３に示すように、第１の印刷パターンＰ１が用いられると、使用ノズル範囲は第１の範囲Ｈ１に設定され、第２の印刷パターンＰ２が用いられると、使用ノズル範囲は第２の範囲Ｈ２に設定される。第１の印刷パターンＰ１及び第２の印刷パターンＰ２は交互に用いられるため、使用ノズル範囲は、第１の範囲Ｈ１及び第２の範囲Ｈ２に交互に設定される。これにより、使用ノズル範囲は、第１の印刷パターンＰ１だけを使用する場合に比べて広くなる。また、第２の印刷パターンＰ２が繰り返し使用されるため、第３の範囲Ｈ３においてノズル５１ａの使用頻度が高くなり、第２の範囲Ｈ２の全体が安定吐出範囲となる。つまり、制御部９０は、ある錠剤Ｔに印刷されるパターンの大きさを、他の錠剤Ｔに印刷されるパターンの大きさよりも意図的に大きくすることで、錠剤Ｔの印刷に用いるノズル５１ａを、ノズル列の中で変えるように制御する。これにより、錠剤ＴのＹ方向の位置ずれが生じても（図３中の錠剤Ｔ５参照）、安定吐出範囲内のノズル５１ａ、つまり、使用頻度が高いノズル５１ａが印刷に使用され、使用頻度が低いノズル５１ａが印刷に使用されることを抑えることが可能になるので、安定した印刷を実現し、不良錠剤を減らして生産性を上げることができる。
【００５２】
ここで、錠剤Ｔの搬送時、吸引孔２１ａ上の錠剤Ｔは、吸引孔２１ａからの吸引によって搬送ベルト２１に保持されるが、全ての吸引孔２１ａが錠剤Ｔによって完全に塞がれるわけではない。この場合、空気が吸引孔２１ａから吸引されるため、吸引孔２１ａの上方には気流が発生し、また、搬送ベルト２１の移動によって搬送方向Ａ１に沿って搬送ベルト２１上を流れる気流も発生する。さらに、インクジェットヘッド５１やその周辺の部材が搬送ベルト２１上方に存在するため、搬送ベルト２１上を流れる気流がそれらの部材にぶつかってさらに乱気流も発生する。これらの気流が発生するため、インクジェットヘッド５１はノズル先端部分のインク乾燥が進行しやすい環境に存在している。このような状況下において、不良錠剤の発生を抑え、生産性を上げるためには、ノズル先端部分のインク乾燥が進行し難い安定吐出範囲内のノズル５１ａ、すなわち使用頻度が高いノズル５１ａを使用することが重要となる。なお、前述の乾燥部がインクジェットヘッド５１の下流側に位置付けられて搬送ベルト２１の上方に設けられることがある。この場合には、ノズル先端部分のインク乾燥がさらに進行しやすくなる。
【００５３】
以上説明したように、実施の一形態によれば、同一形状でサイズが異なる複数の印刷パターン（例えば、第１の印刷パターンＰ１及び第２の印刷パターンＰ２）を切り替えてインクジェットヘッド５１に印刷させることによって、印刷パターンに応じて安定吐出範囲を広げることが可能となり、錠剤ＴのＹ方向の位置ずれが生じても、安定吐出範囲（例えば、第２の範囲Ｈ２）内のノズル５１ａによる印刷を実現することができる。これにより、安定吐出範囲内のノズル５１ａ、すなわち使用頻度が高いノズル５１ａを使用し、安定吐出範囲外のノズル５１ａ、すなわち使用頻度が低いノズル５１ａの使用を抑えることが可能になるので、不良錠剤の発生を抑え、生産性を上げることができる。
【００５４】
＜他の実施形態＞
前述の実施形態においては、同一形状で全体のサイズが異なる複数の印刷パターンを用いることを例示したが、これに限るものではなく、例えば、印刷パターンをＹ方向（水平面内において搬送方向Ａ１と直交する方向）にだけ縮小又は拡大した印刷パターンを用いても良く、また、印刷パターンの一部だけを縮小又は拡大した印刷パターンを用いるようにしても良い。例えば、印刷パターンが「ＡＢＣ」である場合には、それらの文字のうち一つ又は二つの文字だけを縮小又は拡大した印刷パターンを用いることも可能である。また、一文字の全体を縮小又は拡大するのではなく、一文字の一部だけを縮小又は拡大した印刷パターンを用いることも可能である。なお、一文字を縮小又は拡大する場合には、一文字の全体を均等に縮小又は拡大しても良く、あるいは、一文字をＹ方向にだけ縮小又は拡大しても良い。
【００５５】
また、前述の実施形態においては、印刷状態検査で、印刷に使用した印刷パターンを用いて、印刷パターンが錠剤Ｔに正常に印刷されたか否かを判断しているが、これに限るものではなく、例えば、検査のハードル（検査基準）を下げて印刷パターンが錠剤Ｔに正常に印刷されたか否かを判断することも可能である。検査のハードルを下げる方法としては、一例として、錠剤Ｔに印刷された印刷パターンのサイズ検査を省略する、すなわち、錠剤Ｔに印刷された印刷パターンをそのサイズを無視して検査する方法を用いても良い。
【００５６】
また、前述の実施形態においては、錠剤Ｔを一列で搬送することを例示したが、これに限るものではなく、その列数は二列や三列又は四列以上であっても良く、特に限定されるものではなく、搬送ベルト２１の本数も二本以上であっても良く、特に限定されるものではない。また、インクジェットヘッド５１の個数も二個以上であっても良く、特に限定されるものではない。
【００５７】
また、前述の実施形態においては、インクジェットヘッド５１として、ノズル５１ａが一列に並ぶ印刷ヘッドを例示したが、これに限るものではなく、例えば、ノズル５１ａが複数列に並ぶ印刷ヘッドを用いるようにしても良い。また、水平面内において搬送方向Ａ１と直交する方向にインクジェットヘッド５１を複数並べて用いるようにしても良い。
【００５８】
また、前述の実施形態においては、インクジェットヘッド５１をノズル５１ａが並ぶ方向が水平面内において搬送方向Ａ１と直交する方向になるように設けることを例示したが、これに限るものではなく、例えば、ノズル５１ａが並ぶ方向が水平面内において搬送方向Ａ１と交差する方向になるように設けるようにしても良い。
【００５９】
また、前述の実施形態においては、錠剤Ｔの片面を印刷することを例示したが、これに限るものではなく、例えば、搬送部２０、検出部３０、撮像部４０、印刷部５０及び撮像部６０を一つのユニットし、そのユニットを上下に重ねて配置して、上側の搬送部２０で印刷した錠剤Ｔを反転して下側の搬送部２０に受け渡し、錠剤Ｔの両面を印刷するようにしても良い。
【００６０】
また、前述の実施形態においては、搬送ベルト２１上に錠剤Ｔを吸引により保持することを例示したが、これに限るものではなく、例えば、搬送ベルト２１上に錠剤Ｔを自重により保持するようにしても良い。
【００６１】
ここで、前述の錠剤としては、医薬用、飲食用、洗浄用、工業用あるいは芳香用として使用される錠剤を含めることができる。また、錠剤としては、裸錠（素錠）や糖衣錠、フィルムコーティング錠、腸溶錠、ゼラチン被包錠、多層錠、有核錠などがあり、硬カプセルや軟カプセルなど各種のカプセル錠も錠剤に含めることができる。さらに、錠剤の形状としては、円盤形やレンズ形、三角形、楕円形など各種の形状がある。また、印刷対象の錠剤が医薬用や飲食用である場合には、使用するインクとして可食性インクが好適である。この可食性インクとしては、合成色素インク、天然色素インク、染料インク、顔料インクのいずれを使用しても良い。
【００６２】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１    錠剤印刷装置
２０  搬送部
５１  インクジェットヘッド
９０  制御部
Ｐ１  第１の印刷パターン
Ｐ２  第２の印刷パターン
Ｔ    錠剤
【図１】
2020124406.tif 000003
【図２】
2020124406.tif 000004
【図３】
2020124406.tif 000005
【図４】
2020124406.tif 000006